(57)【要約】  ロード／アンロード方式のディスク装置において、装置の非動作時に、ディスクに情報を読み書きするヘッドをスイングアームによってディスクの外部に退避させた時に、スイングアームの先端部に設けられたリフトタブを保持するランプ機構において、リフトタブのガイド斜面に、ガイド斜面に滑らかに接続する通風路をランプ機構の背面まで形成し、通風路を流れる風が磁気ディスク方向から離れるようにした。この結果、リフトタブに蓄積され、リフトタブのガイド斜面への衝突時にガイド斜面上に落下した磨耗粉が磁気ディスク上に散らばることがなくなり、ヘッドクラッシュ、ヘッド汚れがなくなる。
2009069212.tif 000002
【特許請求の範囲】
【請求項１】
装置の動作時にスイングアームの先端部に設けられたヘッドにより情報を記憶媒体にアクセスし、非動作時に前記ヘッドを前記記憶媒体の外周部近傍に設けられたランプ機構に退避させる記憶装置であって、
前記ランプ機構を、
前記ヘッドの退避時に、前記スイングアームの最先端部に設けられたリフトタブを摺動させて前記ランプ機構内に導くガイド斜面と、
前記ガイド斜面に連続して設けられ、前記リフトタブを退避時の保持位置まで導くレール部と、
前記保持位置近傍の前記レール部に対向して設けられ、衝撃印加時の前記リフトタブの振動を抑止する係止部、及び
これらが配置された本体部とから構成し、
前記本体部の前記ガイド斜面に隣接する壁面に、該壁面に当たる風を前記ランプ機構の裏面側に逃がす通風路を設けたことを特徴とする記憶装置。
【請求項２】
請求項１に記載の記憶装置であって、
前記記憶媒体が１枚であり、前記通風路が通風溝であることを特徴とする記憶装置。
【請求項３】
請求項１に記載の記憶装置であって、
前記記憶媒体が複数枚であり、最上段と最下段の前記ガイド斜面に隣接する壁面では前記通風路が通風溝であり、前記最上段と最下段のガイド斜面の間にあるガイド斜面に隣接する壁面では前記通風路が通風孔であることを特徴とする記憶装置。
【請求項４】
請求項２に記載の記憶装置であって、
前記通風溝の底面と前記ガイド斜面とが滑らかに連続していることを特徴とする記憶装置。
【請求項５】
請求項３に記載の記憶装置であって、
前記通風溝の底面と前記ガイド斜面とが滑らかに連続しており、かつ前記通風孔の底面及び天井面が、前記ガイド斜面と滑らかに連続していることを特徴とする記憶装置。
【請求項６】
請求項１から５の何れか１項に記載の記憶装置であって、
前記通風溝或いは前記通風孔の入口部に対して出口部が、前記記憶媒体から遠い側に配置されていることを特徴とする記憶装置。
【請求項７】
請求項１から６の何れか１項に記載の記憶装置であって、
前記通風路が直線路であることを特徴とする記憶装置。
【請求項８】
請求項６に記載の記憶装置であって、
前記通風路が湾曲路であることを特徴とする記憶装置。
【請求項９】
請求項１から８の何れか１項に記載の記憶装置であって、
前記通風路の流路に垂直な方向の断面積が、入口部に対して出口部が大きく形成されていることを特徴とする記憶装置。
【発明の詳細な説明】
【技術分野】
【０００１】
本発明はランプ機構を備えた記憶装置に関し、特に、ロード／アンロード方式の磁気ディスク装置のような記憶装置において、アンロード時にスイングアームの先端部に設けられた磁気ヘッドを、磁気ディスクの外周部近傍の位置で保持するランプ機構を備えた記憶装置に関する。
【背景技術】
【０００２】
通常、コンピュータにおけるデータの保存は、電源の供給が停止してもデータを保存することができる外部記憶装置によってなされる。この外部記憶装置には、半導体メモリ、光ディスク、及び磁気ディスク装置等が用いられるが、記憶容量が大きいことから、磁気ディスク装置が普及している。磁気ディスク装置としては、磁性体を塗布したデータ記憶用の円板と、円板に対してデータを読み書きする磁気ヘッドから構成されるハードディスク装置が主流になっている。ハードディスク装置に使用される円板は、磁性体を塗布したアルミニウムやガラスのディスクを何枚も重ねあわせた構造になっており、これをモータで高速に回転させて磁気ヘッドによってデータを読み書きする。【０００３】
ハードディスク装置には、コンタクト・スタート・ストップ（ＣＳＳ）方式のハードディスク装置と、ロード／アンロード方式のハードディスク装置がある。ＣＳＳ方式は、磁気ディスクが停止している時には、磁気ヘッドが磁気ディスク上のデータ領域とは別の内周領域（ＣＳＳゾーン）に着地しており、磁気ディスクが回転すると磁気ヘッドが磁気ディスクから浮上し、磁気ディスクの回転が止まると再び磁気ディスク上に着地する方式である。磁気ヘッドを備えるヘッドスライダには、磁気ヘッドの磁気ディスクへの着地時にスライダの全面がディスクに接触して吸着が発生しないように、脚が設けられている。【０００４】
一方、ロード／アンロード方式は、磁気ディスクが停止している時は、磁気ヘッドアクチュエータであるスイングアーム先端部に設けられた磁気ヘッドを磁気ディスク上からアンロードし、磁気ディスクが回転すると、磁気ヘッドを磁気ディスク上にロードする方式である。ロード／アンロード方式のハードディスク装置では、磁気ヘッドのアンロード時に磁気ヘッドを保持してもらうためのリフトタブが、スイングアームの先端部に突設されている。ハードディスク装置の磁気ディスクの外周部近傍の筐体に設けられたランプ機構は、このリフトタブをガイドして保持するためのものである。【０００５】
そして、磁気ヘッドを磁気ディスク上からアンロードする時に、スイングアームを磁気ディスクの外側方向に回転させると、リフトタブがランプ機構に設けられた斜面にガイドされてランプ機構の内部に移動してランプ機構のリフトタブ係止部に保持される。このリフトタブ係止部により、外部からの衝撃によって磁気ヘッドが移動し難くなる。このためにロード／アンロード方式は、耐衝撃性が求められる磁気ディスク装置において多く用いられている。【０００６】
このようなランプ機構は一般に樹脂製であり、できるだけ磨耗の少ない材料で構成されると共に、磁気ヘッド側のリフトタブもランプ機構の磨耗を促進しないような形状に作られている。しかしながら、リフトタブがランプ機構に保持される場合には、リフトタブとランプ機構とが摺動することにより、少ないとはいえ磨耗粉が発生し、ランプ機構のリフトタブの保持回数が増えるにつれて磨耗粉がリフトタブに蓄積されることがある。【０００７】
リフトタブがランプ機構に保持される場合には、ランプ機構のガイド斜面にリフトタブが当接する際の衝撃により、リフトタブに蓄積した磨耗粉がリフトタブから剥離したり、ガイド斜面から滑り落ちたりして、これが磁気ディスクの上に落下する場合がある。【０００８】
そして、近年の磁気ディスク装置では、ヘッドの浮上量がごく僅か（例えば１０ｎｍ程度）であるために、摩擦粉が磁気ディスク上に落下すると、ヘッドクラッシュを引き起こしたり、ヘッド汚れを発生させる虞がある。そのために、ランプ機構において発生する磨耗粉を磁気ディスク上に落下させないようにすることが非常に重要である。【０００９】
ロード／アンロード方式の磁気ディスク装置におけるこのような問題点に対して、ランプ機構のリフトタブの保持位置に溝部を設け、溝部でランプ機構を低周波振動させてリフトタブに付着した磨耗粉を溝部に落下させ、磨耗粉が磁気ディスク上に落下し難いようにした磁気ディスク装置が特許文献１に開示されている。特許文献１には更に、溝部のそばに磨耗粉を集積する切欠部を設けること、及び磁気ディスク外側に発生する空気流を切欠部の方に流す整流フィンを設けることが開示されている。【００１０】
【特許文献１】特開２０００−１３２９３７号公報
【発明の開示】
【発明が解決しようとする課題】
【００１１】
しかしながら、リフトタブがランプ機構に保持される場合には、ランプ機構のガイド斜面にリフトタブが当接する際の衝撃により、リフトタブに蓄積した磨耗粉がリフトタブから剥離してランプ機構のガイド斜面に溜まる場合も考えられる。すなわち、リフトタブに蓄積された磨耗粉が、特許文献１に記載の溝部に達する前にガイド斜面に落下する場合がある。このような場合は、ガイド斜面に溜まった磨耗粉がガイド斜面から滑り落ちたり、ディスク外周部を流れる空気流により磁気ディスクの上に落下するので、特許文献１に開示の装置は有効ではない。【００１２】
本発明の目的は、リフトタブがランプ機構に保持される際に発生する磨耗粉がリフトタブ、或いはランプ機構に蓄積され、蓄積された磨耗粉が何らかの原因で蓄積場所から剥離されてガイド斜面に落下した場合でも、剥離した磨耗粉がガイド斜面から磁気ディスク表面に落下し難い構造を備えたランプ機構を備えた記憶装置を提供することである。
【課題を解決するための手段】
【００１３】
前記目的を達成する本発明の記憶装置は、装置の動作時にスイングアームの先端部に設けられたヘッドにより情報を記憶媒体にアクセスし、非動作時に前記ヘッドを記憶媒体の外周部近傍に設けられたランプ機構に退避させる記憶装置であって、ランプ機構を、ヘッドの退避時に、スイングアームの最先端部に設けられたリフトタブを摺動させてランプ機構内に導くガイド斜面と、ガイド斜面に連続して設けられ、リフトタブを退避時の保持位置まで導くレール部と、保持位置近傍のレール部に対向して設けられ、衝撃印加時のリフトタブの振動を抑止する係止部、及びこれらが配置された本体部とから構成し、本体部のガイド斜面に隣接する壁面に、壁面に当たる風をランプ機構の裏面側に逃がす通風路を設けたことを特徴とするものである。【００１４】
記憶媒体が１枚の場合は、通風路が通風溝であり、記憶媒体が複数枚である場合は、最上段と最下段のガイド斜面に隣接する壁面では通風路が通風溝であり、最上段と最下段のガイド斜面の間にあるガイド斜面に隣接する壁面では通風路が通風孔である。また、通風溝の底面とガイド斜面、及び通風孔の底面及び天井面は、ガイド斜面と滑らかに連続させておく。そして、通風溝或いは通風孔の入口部に対して出口部は、記憶媒体から遠い側に配置する。
【発明の効果】
【００１５】
本発明によれば、リフトタブがランプ機構に保持される動作の繰り返しでリフトタブ、或いはランプ機構に蓄積される磨耗粉が、何らかの原因で蓄積場所から剥離されてガイド斜面に落下した場合、ディスクの回転によって発生する気流の流れが、剥離した磨耗粉を磁気ディスク表面から遠ざける方向に運ぶので、磨耗粉がガイド斜面から磁気ディスク表面に落下し難くなり、ヘッドクラッシュの発生、及びヘッド汚れの発生を抑止できるという効果がある。
【図面の簡単な説明】
【００１６】
【図１】図１のＡは従来のロード／アンロード方式のハードディスク装置の一例を示す平面図、図１のＢは図１のＡに示すランプ機構の保持位置にリフトタブが保持された状態を示す斜視図である。
【図２】図２のＡは図１のＡ、Ｂに示したロード／アンロード方式のハードディスク装置のアンロード時に、ランプ機構のガイド斜面にリフトタブが当接する状態を示す説明図、図２のＢは図２のＡに示したリフトタブのガイド斜面への当接時に発生する振動を示すセンサ出力波形図、図２のＣは図１のＡ、Ｂに示したロード／アンロード方式のハードディスク装置のロード時に、ランプ機構のガイド斜面からリフトタブが離脱する状態を示す説明図、図２のＤは図２のＣに示したリフトタブのガイド斜面からの離脱時に発生する振動を示すセンサ出力波形図である。
【図３】図３のＡは従来のロード／アンロード方式のハードディスク装置のディスク回転時に発生する風がランプ機構に当たった時の流路を示す説明図、図３のＢは図３のＡに示した風によってディスク上に散乱したランプ機構の磨耗粉を示す説明図である。
【図４】図４のＡはロード／アンロード方式のハードディスク装置におけるランプ機構の、本発明の第１の実施例の構成を示す平面図、図４のＢは図４のＡに示したランプ機構がディスク１枚用である時のランプ機構の正面図、図４のＣは図４のＡに示したランプ機構がディスク２枚用である時のランプ機構の正面図、図４のＤは図４のＣに示したランプ機構のｄ−ｄ線における局部断面図である。
【図５】図５のＡは図４のＡに示したロード／アンロード方式のハードディスク装置のディスク回転時に発生する風がランプ機構に当たった時の流路を示す説明図、図５のＢは図５のＡの斜視図である。
【図６】図６のＡからＥは本発明のランプ機構の他の実施例の構成を示す平面図である。
【発明を実施するための最良の形態】
【００１７】
以下、図面を用いて本発明の好適な実施例を説明するが、本発明の実施例を説明する前に、図１のＡから図３のＢを用いて従来の典型的なロード／アンロード方式のハードディスク装置におけるランプ機構の有する問題点について説明する。【００１８】
図１のＡは、従来のロード／アンロード方式のハードディスク装置１の一例を示すものである。ハードディスク装置１のベース２の上の一方の側には、記憶媒体として、スピンドルモータ３によって回転する少なくとも１枚の磁気ディスク４があり、この磁気ディスク４にはデータ記録用の多数のトラックがある。【００１９】
ハードディスク装置１のベース２の上の他方の側には、磁気ディスク４のトラックにアクセスしてデータの読み書きを行うヘッド（図示せず）を先端部に備えるスイングアーム５がある。スイングアーム５は回転軸６を中心にして揺動するように構成されており、回転軸６に対してスイングアーム５と反対側には、スイングアーム５を駆動するボイスコイルモータ７がある。８はヘッドによって磁気ディスク４から読み出された信号、或いはヘッドによって磁気ディスク４に書き込む信号を処理する読み書き回路である。【００２０】
また、ロード／アンロード方式のハードディスク装置１では、アンロード時にはヘッドを磁気ディスク４の外側に退避させる。このため、ロード／アンロード方式のハードディスク装置１には、磁気ディスク４の外周部近傍のベース２の上に、スイングアーム５の先端部を保持するランプ機構１０がある。【００２１】
ランプ機構１０は、図１のＢに示すように、樹脂製の複雑な形状をしており、その本体１１がベース２に取付ネジ２０で取り付けられている。ランプ機構１０の本体には、スイングアーム５の最先端部に設けられたリフトタブ９を保持する複数本のレール部１２と、リフトタブ９がレール部１２に保持されている時の振動を抑止する係止部１３が突設されている。レール部１２と係止部１３の間には、リフトタブ９をこの図に示す退避時の保持位置まで導く誘導通路１４が形成されている。アンロード時にはリフトタブ９がレール部１２と係止部１３に挟まれて移動が抑止されるので、ヘッドの耐振動性が良い。【００２２】
２本のレール部１２のディスク側の先端部側の間の部分には切欠部１５があり、磁気ディスク４の外周部がこの切欠部１５の中にある。即ち、磁気ディスク４の外周部はランプ機構１０の端部とオーバラップしている。また、レール部１２のディスク側の先端部は、スイングアーム５の退避時に、スイングアーム５の先端部にあるリフトタブ９をスムーズにレール部１２の上に導くためのガイド斜面１６がある。スイングアーム５の退避時に、リフトタブ９はまずこのガイド斜面１６に当接し、このガイド斜面上を摺動しながらレール部１２に保持され、その後誘導通路１４を通って保持位置に至る。【００２３】
このようなロード／アンロード方式のハードディスク装置１では、スイングアーム５の退避時にリフトタブ９がランプ機構１０のガイド斜面１６及びレール部１２と擦れる。ランプ機構１０を構成する部材にはできるだけ磨耗の少ないものが選択され、リフトタブ９の形状もランプ機構１０の磨耗を促進しないものが選択されている。しかしながら、リフトタブ９とガイド斜面１６及びレール部１２との摺動が繰り返されると、磨耗粉は必ず発生し、リフトタブ９に蓄積することがある。【００２４】
一方、図２のＡに示すように、図１のＡ、Ｂに示したスイングアーム５が矢印Ｕで示すように移動するディスク４からのヘッドのアンロード時に、ランプ機構１０のガイド斜面１６に、黒丸で示すリフトタブ９が当接する時には、当接時の衝撃でリフトタブ９に振動が発生する。図２のＢは、スイングアーム５に振動検出センサ（図示せず）を取り付けて、リフトタブ９の当接時の振動を測定した測定結果を示すものである。なお、図２のＣに示すように、スイングアーム５が矢印Ｌで示すように移動するディスク４へのヘッドのロード時には、白丸で示すリフトタブ９はランプ機構１０のガイド斜面１６を通ってガイド機構１０から離脱するだけであるので、図２のＤに示す測定結果のようにリフトタブ９には殆ど振動は発生しない。【００２５】
リフトタブ９に蓄積された磨耗粉は、ヘッドのアンロード時に発生する衝撃により、リフトタブ９から剥離されガイド斜面１６上に落下することがある。ディスク４の回転時には、磁気ディスク４の回転によって発生する風Ｗは、図３のＡに示すようにランプ機構１０に当たると、磁気ディスク４の内周側に向かって流れが変わる。すると、ランプ機構１０のガイド斜面１６上に落下した磨耗粉１７は、風Ｗによって吹き飛ばされて図３のＢに示すように磁気ディスク４の上に散らばり、ヘッドクラッシュを引き起こしたり、ヘッド汚れを発生させる虞があったのである。【００２６】
本発明は、ランプ機構１０のガイド斜面１６にリフトタブ９から落下した磨耗粉が、磁気ディスク４の上に散らばらないようにすることができるランプ機構１０Ｎを提供するものであり、その代表的な実施例が図４のＡからＤに、その動作が図５のＡとＢに、他の実施例の構成が図６のＡからＥに示される。なお、以後の本発明の実施例においては、図１のＡから図３のＢで説明した従来技術のランプ機構１０と同じ構成部材については同じ符号を付して説明する。【００２７】
図４のＡは本発明の実施例を示すロード／アンロード方式のハードディスク装置におけるランプ機構１０Ｎの平面図である。この実施例では、ランプ機構１０Ｎのガイド斜面１６に隣接する本体１１が切り欠かれ、通風路として通風溝１８が形成されている。この通風溝１８の底面は、ガイド斜面１６と同一の面であり、ガイド斜面１６と滑らかに連続している。通風溝１８の出口側は本体１１の裏面側に開口している。【００２８】
図４のＢは、ロード／アンロード方式のハードディスク装置に磁気ディスク４が１枚しか取り付けられていない場合のランプ機構１０Ｎの構成を示すものである。この場合は、ランプ機構１０Ｎには２本のレール部１２しかなく、切欠部は１つである。そして、この形態では、上側のガイド斜面１６と下側のガイド斜面１６に隣接して通風溝１８がそれぞれ設けられている。【００２９】
図４のＣは、ロード／アンロード方式のハードディスク装置に磁気ディスク４が２枚取り付けられている場合のランプ機構１０Ｎの構成を示すものである。この場合は、ランプ機構１０Ｎには４本のレール部１２があり、切欠部１５も２箇所にある。この形態では、最上部のガイド斜面１６と最下部のガイド斜面１６には隣接して通風溝１８がそれぞれ設けられている。一方、真ん中の２つのガイド斜面１６には、天井面と底面がそれぞれガイド斜面１６と同一の面をなす通風孔１９が通風路として設けられている。図４のＣは、図４のＣに示したランプ機構１０Ｎのｄ−ｄ線における局部断面図であり、通風孔１９の形状を示すものである。【００３０】
ランプ機構１０Ｎが図４のＡからＤのように構成されていると、ディスク４の回転時には、磁気ディスク４の回転によって発生する風Ｗは、図５のＡとＢに示すように、ランプ機構１０に当たると、ガイド斜面１６を通る風Ｗは通風溝１８（或いは通風孔１９）に導かれ、その大部分がランプ機構１０Ｎの背面側に流れる。この結果、ランプ機構１０Ｎのガイド斜面１６上に磨耗粉が落下していたとしても、磨耗粉は風Ｗによって吹き飛ばされてランプ機構１０Ｎの背面側（磁気ディスク４とは離れた空間）に落下することになり、磨耗粉が磁気ディスク４の上に散らばる虞が小さくなり、ヘッドクラッシュを引き起こしたり、ヘッド汚れを発生させる虞がなくなるのである。【００３１】
図６のＡからＥは本発明のランプ機構１０Ｎの他の実施例の構成を示すものである。図６のＡとＢに示されるランプ機構１０Ｎでは、通風溝１８が直線溝であり、その出口側が磁気ディスク側から更に遠くなっている。図６のＣに示されるランプ機構１０Ｎでは、通風溝１８の幅が出口側に行くに従って広くなっている。この形状の通風溝１８は、磨耗粉を磁気ディスク４とは離れた磁気ディスク装置のベース上の広い範囲に散らばらせることができる。【００３２】
図６のＤに示されるランプ機構１０Ｎでは、通風溝１８が直線溝ではなく湾曲した形状であり、その出口側が磁気ディスク側から更に遠く側に開口している。図６のＥに示されるランプ機構１０Ｎでは、通風溝１８が直線溝ではなく湾曲した形状になっていると共に、通風溝１８の幅が出口側に行くに従って広くなっており、磨耗粉を磁気ディスク４とは離れた磁気ディスク装置のベース上の広い範囲に散らばらせることができる。【００３３】
以上本発明を幾つかの実施例に基づいて説明したが、ランプ機構に設けられる通風路の形状はこれらの実施例の形状に限定されるものではない。
【図１】
2009069212.tif 000003
【図２】
2009069212.tif 000004
【図３】
2009069212.tif 000005
【図４】
2009069212.tif 000006
【図５】
2009069212.tif 000007
【図６】
2009069212.tif 000008
【国際調査報告】
2009069212.tif 000009
2009069212.tif 000010